(57)【要約】【課題】ブロックの取付に際して位置や姿勢の調整を高精度で能率良く行うことができ、また、足場が不要で安全に取付作業を行うことができる落橋防止ブロック取付け装置を提供する。【解決手段】俯仰および旋回自在で伸縮可能なブームの先端部に作業デッキを設けた高所作業車と、該作業デッキ上に取り付けられると共に前後方向に往復移動可能に設けられた前後スライドデッキと、該前後スライドデッキ上に昇降手段を介して昇降可能に設けられた昇降フレームと、該昇降フレーム上に姿勢制御可能に取り付けられると共にブロックを着脱自在にセット可能なブロックセットフレームと、から構成される。【選択図】  図１
2005133324.tif 000002
【特許請求の範囲】
【請求項１】
俯仰および旋回自在で伸縮可能なブームの先端部に作業デッキを設けた高所作業車と、該作業デッキ上に取り付けられると共に前後方向に往復移動可能に設けられた前後スライドデッキと、該前後スライドデッキ上に昇降手段を介して昇降可能に設けられた昇降フレームと、該昇降フレーム上に姿勢制御可能に取り付けられると共にブロックを着脱自在にセット可能なブロックセットフレームと、から構成されることを特徴とする落橋防止ブロック取付け装置。
【請求項２】
上記該ブロックセットフレームに取付け治具を固定して、鋼製ブラケットを着脱自在にセットするように構成したことを特徴とする請求項１に記載の落橋防止ブロック取付け装置。
【請求項３】
上記昇降手段がパンタグラフ式の昇降手段であることを特徴とする請求項１または２に記載の落橋防止ブロック取付け装置。
【請求項４】
上記ブロックセットフレームが、３点支持の姿勢制御ボルトにより姿勢制御可能に昇降フレームに取付られていることを特徴とする請求項１、２または３に記載の落橋防止ブロック取付け装置。
【発明の詳細な説明】
【技術分野】
【０００１】
本発明は、地震等により橋桁等が橋脚から落下するのを防止するための、落橋防止ブロック取付け装置に関するものである。
【背景技術】
【０００２】
一般に、図５に示すように、橋桁Ｋに鋼製ブラケットＳを取り付けると共に、橋脚ＬにコンクリートブロックＢを取り付けて、地震時等において橋桁Ｋ等が橋脚Ｌから落下するのを防止する対策が行われている。
【０００３】
従来、上記コンクリートブロックを橋脚に取り付ける技術としては、桁下にアンカーを打設して、これにチェーンブロックを取り付け、該チェーンブロックにより上記コンクリートブロックを上げて所定の位置近くまで運び上げ、宙吊り状態で人力により取付位置まで移動させ、予め橋脚に取り付けたアンカーボルトにコンクリートブロックの穴の位置を合わせて差込み橋脚に取り付けていた。
また従来、図６に示すように、クレーンのブームＭの先端部に取付治具Ｎを設けて、この取付治具ＮにコンクリートブロックＢをセットし、上記ブームにより調整しながらブロックを橋脚の取付位置まで移動させる技術があった。（例えば、特許文献１参照）
【０００４】
しかし、上記チェーンブロックによる取付は、コンクリートブロックの重量物を頭上のクリアランスのない狭隘な空間でしかも不安定な状態で移動させてボルト穴に合わせなければならないので、危険な苦渋作業で時間がかかるだけでなく、別途作業用の足場を組む必要があったり、ブロックにワイヤを掛けていたため、ブロックが欠けたりして品質の低下を生じさせる等の問題があった。
【０００５】
また、上記特許文献１のクレーンブームＭの先端部の取付治具Ｎによる場合は、ブロックの位置および姿勢の調整が困難で手間と時間がかかるだけでなく、ブロック毎にクレーンを移動させなければならなかった。また、足場を必要とするだけでなく、ブームとの干渉を防止するために、足場の手摺りを撤去する必要があって危険な作業となる等の問題点もあった。
【特許文献１】特開平１１−１４７６９１号公報
【発明の開示】
【発明が解決しようとする課題】
【０００６】
本発明の解決しようとする課題は、ブロックの取付に際して位置や姿勢の調整を高精度で能率良く行うことができ、また、足場が不要で安全に取付作業を行うことができる落橋防止ブロック取付け装置を提供することにある。
【課題を解決するための手段】
【０００７】
本発明の落橋防止ブロック取付け装置は、俯仰および旋回自在で伸縮可能なブームの先端部に作業デッキを設けた高所作業車と、該作業デッキ上に取り付けられると共に前後方向に往復移動可能に設けられた前後スライドデッキと、該前後スライドデッキ上に昇降手段を介して昇降可能に設けられた昇降フレームと、該昇降フレーム上に姿勢制御可能に取り付けられると共にブロックを着脱自在にセット可能なブロックセットフレームと、から構成されることを特徴とする。また、上記該ブロックセットフレームに取付け治具を固定して、鋼製ブラケットを着脱自在にセットするように構成したことを特徴とする。さらに、上記昇降手段がパンタグラフ式の昇降手段であることを特徴とする。又更に、上記ブロックセットフレームが、３点支持の姿勢制御ボルトにより姿勢制御可能に昇降フレームに取付られていることを特徴とするものである。
【発明の効果】
【０００８】
本発明の落橋防止ブロック取付け装置は、ブロックの取付に際して位置や姿勢の調整を高精度で能率良く行うことができ、また、足場が不要で安全に取付作業を行うことができる、という利点がある。
【発明を実施するための最良の形態】
【０００９】
図１は、本発明の取付装置を搭載する高所作業車を示すもので、１は俯仰および旋回自在で伸縮可能なブーム、２はブーム１の先端部に設けた作業デッキである。該作業デッキ２は旋回軸２ａにより旋回可能となっている。また、デッキ２の周囲には手摺り２ｂが設けられている。３はアウトリガーである。
【００１０】
図２は、本発明のブロック取付け装置の一実施例を示すもので、仮想線で示す上記作業デッキ２上に設置されている前後スライドデッキ２−２上に搭載されている。該ブロック取付け装置は、主として装置取り付けフレーム４と、昇降手段７と、昇降フレーム８と、ブロックセットフレーム９から構成されている。
【００１１】
上記昇降手段７は、上記装置固定フレーム６と上記昇降フレーム８の間に設けられ、パンタグラフ式に構成されており、例えば油圧駆動手段７ａ（図２（Ｂ）を参照）により昇降フレーム８を上下方向（矢印Ｚ）に往復移動（昇降）するようになっている。７ｂは操作杆である。
【００１２】
上記ブロックセットフレーム９は、３点支持の姿勢制御ボルト９ａを介して、上記昇降フレーム８上に姿勢（傾き）制御可能に取り付けられている。３つの姿勢制御ボルト９ａを調整することにより、上記ブロックセットフレーム９の姿勢、すなわち水平に対する傾きが調整される。該ブロックセットフレーム９上には、ブロックをセットするための固定枠９ｂが立設されている。
【００１３】
本実施例の装置は、以上のように構成されているので、ブロックの取付け作業に際しては、図３に示すように、ブロックＢを上記ブロックセットフレーム９上にセットする。
【００１４】
続いて、高所作業車１を作業現場の適当な位置に移動させ、アウトリガー３により安定させる。準備が完了すると、ブームを働かせて作業デッキをブロックＢの取り付け位置付近に移動させる。この場合、作業デッキ３を旋回させて、ブロックＢの向きを調整しておく。なお、この向き調整は、後述する位置・姿勢制御と共に行っても良い。
【００１５】
次に、上記昇降手段７により昇降フレーム８を上下に移動調整すると共に、３つの姿勢制御ボルト９ｂによりブロックＢの傾きの微調整を行ないながら、ブロックＢの取付孔を予め打ち込まれている取付ボルトに一致させ、挿入固定する。これらの微調整作業は、作業デッキ２に搭乗する作業員によって行なわれる。
【００１６】
図４は、鋼製ブラケットＳの取付け治具１０を示すもので、上記ブロックセットフレーム９上に取付け治具１０を固定して、該取付け治具１０に鋼製ブラケットＳをセットする。この鋼製ブラケットＳの取付け作業は、上記ブロックの取付け作業の前に、同様の方法で行なわれる。
【図面の簡単な説明】
【００１７】
【図１】本発明の取付装置を搭載する高所作業車の正面図である。
【図２】本発明の取付装置の一実施例を示す平面図（Ａ）、側面図（Ｂ）および前面図（Ｃ）である。
【図３】図２の装置によるブロックの取り付け説明図である。
【図４】図２の装置による鋼製ブラケットの取り付け説明図である。
【図５】従来の落橋防止用ブロック・ブラケットの取り付け説明図である。
【図６】従来のブロック取付装置の説明図である。
【符号の説明】
【００１８】
１    ブーム
２    作業デッキ
２ａ  旋回軸
２−２  前後スライドデッキ
３    アウトリガー
４    ガイドレール
５  左右スライドフレーム
６    前後スライドフレーム
７    昇降手段
７ａ  アクチュエータ
７ｂ  操作杆
８    昇降フレーム
９    ブロックセットフレーム
９ａ  姿勢制御ボルト
９ｂ  固定枠
１０  取付け治具
Ｂ    ブロック
Ｓ    鋼製ブラケット
【図１】
2005133324.tif 000003
【図２】
2005133324.tif 000004
【図３】
2005133324.tif 000005
【図４】
2005133324.tif 000006
【図５】
2005133324.tif 000007
【図６】
2005133324.tif 000008